(57)【要約】【課題】前面パネルの釦穴の位置精度が悪くても、押し釦の操作面を釦穴からきちんと突出させることができ、また押し釦のがたつきを防止することを目的とする。【解決手段】アウター釦３とインナー釦４とを相対移動可能に取り付けるとともに、アウター釦３の係止突起３ｂ、３ｃを、それぞれ前面パネル１の係止穴１ａ、１ｂに位置決めする。これにより、前面パネル１の釦穴２とシャーシ５のガイド部５ａの軸心がずれていても、アウター釦３の操作面３ａを釦穴２からきちんと突出させることができ、またアウター釦３のがたつきを防止することができる。【選択図】  図１
2004281291.tif 000002
【特許請求の範囲】
【請求項１】
パネルに形成された釦穴から操作面が操作可能なアウター釦と、前記アウター釦の内側に相対移動可能に取り付けられたインナー釦と、前記インナー釦を摺動案内するガイド部を有するシャーシと、前記シャーシに固定された基板に設けられて前記インナー釦により動作するスイッチと、前記アウター釦を前記パネルに位置決めする位置決め手段とを備えたことを特徴とする電子機器。
【請求項２】
前記位置決め手段が、前記アウター釦に一体に形成された係止部と、前記パネルに設けられて前記係止部に係合可能な被係止部とで構成されることを特徴とする請求項１に記載の電子機器。
【請求項３】
前記係止部が前記アウター釦の両側に形成された一対の係止突起であり、前記被係止部が前記一対の係止突起に係合可能な一対の係止穴であることを特徴とする請求項２に記載の電子機器。
【請求項４】
前記アウター釦の操作面が前記シャーシに対して長手方向に傾斜しており、前記一対の係止突起のうち、前記シャーシからの距離が短い方の係止突起が前記アウター釦の側方に突出しており、前記シャーシからの距離が長い方の係止突起が前記アウター釦の側方から上方に突出していることを特徴とする請求項３に記載の電子機器。
【請求項５】
前記アウター釦の操作面に照明部が形成され、前記インナー釦が光誘導材料で形成され、前記インナー釦に対向して発光ダイオードが配置されていることを特徴とする請求項１ないし請求項４のいずれかに記載の電子機器。
【請求項６】
操作面を有するアウター釦と、前記アウター釦の内側に相対移動可能に取り付けられたインナー釦と、前記アウター釦の外側に形成されてパネルに対して位置決めするための係止部と、前記インナー釦の胴部に形成されてシャーシへ取り付けるための係止部とを備えたことを特徴とする押し釦。
【発明の詳細な説明】
【０００１】
【発明の属する技術分野】
本発明は、押し釦がパネルに取り付けられた電子機器に関する。
【０００２】
【従来の技術】
図３は従来のこの種の電子機器に用いられる押し釦の構成を示している。図３において、押し釦が取り付けられた電子機器は、前面パネル１０１に形成された釦穴１０２から操作面１０３ａが突出する押し釦１０３と、押し釦１０３の角筒状の胴部１０３ｂを摺動案内するガイド部１０４ａを有するシャーシ１０４と、シャーシ１０４に取付ねじ１０５により固定される基板１０６と、基板１０６の上に配置されて、押し釦１０３の胴部１０３ｂの先端部に押圧されて動作するラバーコンタクトスイッチ１０７と、基板１０６の回路上に実装されたＬＥＤ（発光ダイオード）１０８とを備えている。ＬＥＤ１０８は、ラバーコンタクトスイッチ１０７の１対の固定接点１０７ｂの間に配置されている。押し釦１０３の操作面１０３ａを押すと、その胴部１０３ｂの先端部によりラバーコンタクトスイッチ１０７の可動接点１０７ａが押されて、基板１０６上の固定接点１０７ｂに接触して導通し、所定機能部を動作させるとともに、ＬＥＤ１０８が点灯して、押し釦１０３の操作面１０３ａの照明部１０３ｂに形成された文字や記号等を光らせる。
【０００３】
このような押し釦が取り付けられた電子機器において問題となるのは、シャーシ１０４のガイド部１０４ａの軸心と前面パネル１０１の釦穴１０２の軸心との心合わせである。寸法誤差や取付誤差のために軸心が一致していない場合には、押し釦１０３の操作面１０３ａが前面パネル１０１の釦穴１０２からきちんと突出せず、釦穴１０２に周縁に引っ掛かって動作不良を生じたり、甚だしい場合は、押し釦１０３を釦穴１０２から突出させることができないことがある。このため、従来においても、押し釦１０３とシャーシ１０４との間に中間部材を配して、押し釦１０３と中間部材との間に遊びを設け、この遊びにより寸法誤差や取付誤差等のばらつきを吸収する構造のものが知られている（例えば、特許文献１参照）。
【０００４】
【特許文献１】
実開昭５９−６９４３９号公報（第３−６頁、第２図）
【０００５】
【発明が解決しようとする課題】
しかしながら、上記従来の寸法誤差や取付誤差のばらつきを吸収する構造では、押し釦に遊びがあるため、押し釦が釦穴の間でがたつき、異音を発生したり、操作感触がよくないという問題があった。特に、前面パネルが木製の場合には、釦穴の位置精度を板金や樹脂成形品のような寸法精度に仕上げることが難しいので、上記の問題が一層に顕著になる。
【０００６】
本発明は、このような従来の問題を解決するものであり、前面パネルの釦穴の位置精度が悪くても、押し釦を釦穴からきちんと突出させることができるとともに、押し釦のがたつきを防止することのできる電子機器およびこれに用いられる押し釦を提供することを目的とする。
【０００７】
【課題を解決するための手段】
上記目的を達成するために、本発明の電子機器は、パネルに形成された釦穴から操作面が操作可能なアウター釦と、前記アウター釦の内側に相対移動可能に取り付けられたインナー釦と、前記インナー釦を摺動案内するガイド部を有するシャーシと、前記シャーシに固定された基板に設けられて前記インナー釦により動作するスイッチと、前記アウター釦を前記パネルに位置決めする位置決め手段とを備えたことを特徴とする。この構成により、シャーシに固定されるインナー釦に対し、アウター釦が移動可能になるので、パネルの釦穴の位置精度が悪くても、アウター釦の操作面を釦穴からきちんと突出させることができるとともに、位置決め手段によりアウター釦のがたつきを防止することができる。
【０００８】
また、本発明の電子機器は、前記位置決め手段が、前記アウター釦に一体に形成された係止部と、前記パネルに設けられて前記係止部に係合可能な被係止部とで構成されることを特徴とする。この構成により、位置決め手段を簡単な構造により実現することができる。
【０００９】
また、本発明の電子機器は、前記係止部が前記アウター釦の両側に形成された一対の係止突起であり、前記被係止部が前記一対の係止突起に係合可能な一対の係止穴であることを特徴とする。この構成により、アウター釦のパネルに対する位置決めを、がたつきなしに行うことができる。
【００１０】
また、本発明の電子機器は、前記アウター釦の操作面が前記シャーシに対して長手方向に傾斜しており、前記一対の係止突起のうち、前記シャーシからの距離が短い方の係止突起が前記アウター釦の側方に突出しており、前記シャーシからの距離が長い方の係止突起が前記アウター釦の側方から上方に突出していることを特徴とする。この構成により、アウター釦がシャーシに対して長手方向に傾斜している場合でも、アウター釦のパネルに対する位置決めを行うことができ、アウター釦の種々のデザインに対応することができる。
【００１１】
また、本発明の電子機器は、前記アウター釦の操作面に照明部が形成され、前記インナー釦が光誘導材料で形成され、前記インナー釦に対向して発光ダイオードが配置されていることを特徴とする。この構成により、アウター釦の照明部が発光ダイオードから離れた位置にあっても、光誘導材料により形成されたインナー釦を介してアウター釦の照明部を効果的に照明することができる。
【００１２】
また、本発明の押し釦は、操作面を有するアウター釦と、前記アウター釦の内側に相対移動可能に取り付けられたインナー釦と、前記アウター釦の外側に形成されてパネルに対して位置決めするための係止部と、前記インナー釦の胴部に形成されてシャーシへ取り付けるための係止部とを備えたことを特徴とする。この構成により、押し釦のインナー釦の胴部をシャーシのガイド部に挿入し、アウター釦の操作面をパネルの釦穴から突出させる際に、パネルの釦穴の位置精度が悪くても、アウター釦の操作面をパネルの釦穴からきちんと突出させることができるとともに、アウター釦のパネルに対するがたつきを防止することができる。
【００１３】
【発明の実施の形態】
以下、本発明の実施の形態について図面を参照して説明する。図１は本発明の実施の形態における電子機器の押し釦部の構成を示す概略断面図、図２はその分解斜視図である。図１において、この電子機器は、車両室内のセンターコンソールに適用され、コンソールの前面パネル１に形成された釦穴２から操作面３ａが突出するアウター釦３と、アウター釦３の内側に相対移動可能に取り付けられたインナー釦４と、インナー釦４の角筒状の胴部４ａを摺動案内するガイド部５ａを有するシャーシ５と、シャーシ５に取付ねじ６により固定される基板７と、基板７の上に配置されて、インナー釦４の胴部４ａの先端部に押圧されて動作するラバーコンタクトスイッチ８と、基板７の回路上に実装されたＬＥＤ（発光ダイオード）９とを備えている。ＬＥＤ９は、インナー釦４の胴部４ａの中央部に対向するように、ラバーコンタクトスイッチ８の１対の固定接点８ｂの間に配置されている。
【００１４】
アウター釦３は、半透明の樹脂材料により長方形の箱状に成形され、その操作面３ａは、シャーシ５に対して端部側が低くなるように長手方向に傾斜している。また、アウター釦３の長手方向であるｘ方向の両側面には、シャーシ５からの距離が短い方に、ブロック状の係止突起３ｂが側方に突出形成され、シャーシ５からの距離が長い方には、ピン状の係止突起３ｃが側方から上方に向けて突出形成されている。一方の係止突起３ｂは、アウター釦３の一方の側面のほぼ中央部に位置しており、他方の係止突起３ｃは、アウター釦３の他方の側面の角から突出している。そして、前面パネル１の裏面には、これら係止突起３ｂ、３ｃに対向する位置に、それぞれ係止穴１ａおよび１ｂが形成され、これらによりアウター釦３の位置決め手段が構成されている。さらに、アウター釦３の操作面３ａの内側には、インナー釦４をアウター釦３に対して高さ方向であるｚ方向に位置決めするための１対のストッパ突起３ｄ、３ｅが形成され、操作面３ａの表側には、照明部３ｆに文字または記号が形成されている。この文字または記号は、操作面３ａの表面塗装をレーザカットにより削り取り、内部の半透明の樹脂材料を露出させることにより形成される。
【００１５】
インナー釦４は、光誘導性を有する樹脂材料で成形され、扁平な箱型の胴部４ａを支持する頂部４ｂは、シャーシ５のガイド部５ａをｘ方向に越えて延びており、その両端部から下方に腕部４ｃ、４ｄが形成され、腕部４ｃ、４ｄの先端部には、それぞれ外側横方向に向けて係止爪４ｅ、４ｆが形成されている。そして、この係止爪４ｅ、４ｆに対向する位置のアウター釦３の両側面下端部には、それぞれ係止穴３ｇ、３ｈが形成されている。係止穴３ｇ、３ｈは、図１において紙面に垂直なｙ方向に長い長穴になっており、アウター釦３がインナー釦４に対しｘｙ方向に相対移動可能になっている。また、インナー釦４の胴部４ａのｙ方向における両側面下部の中央部には、矩形の係止穴４ｇ、４ｈが形成されており、シャーシ５に形成された係止爪５ｂ、５ｃに係合可能になっている。なお、アウター釦３に設けられた係止突起３ｂ、３ｃは、上記に示した位置に限られることはなく、アウター釦３と前面パネル１との関係等により、任意に設定することができる。
【００１６】
次に、本実施の形態における電子機器の組立および動作について説明する。まず、車両のセンターコンソールの取付穴に、基板７を固定したシャーシ５を取り付けておく。次に、アウター釦３の内側にインナー釦４を挿入して押し込むと、インナー釦４の両側の腕部４ｃ、４ｄが内側に撓んで、その先端部の係止爪４ｅ、４ｆがアウター釦３の係止穴３ｇ、３ｈに係合する。この係合にはｘｙ方向に遊びがあるため、アウター釦３とインナー釦４とは相対移動可能である。次に、シャーシ５のガイド部５ａの内部に、アウター釦３を組み付けたインナー釦４の胴部４ａを挿入して押し込むと、インナー釦４の係止穴４ｇ、４ｈがシャーシ５の係止爪５ｂ、５ｃに係合し、アウター釦３とインナー釦４の組立体がシャーシ５に取り付けられる。さらに、その上に前面パネル１を釦穴２にアウターボタン３の操作面３ａが突出するように位置合わせして被せて取り付ける。このとき、シャーシ５のガイド部５ａの軸心と前面パネル１の釦穴２の軸心とがずれていても、アウター釦３がインナー釦４に対し相対移動可能に構成されているので、アウター釦３は前面パネル１の釦穴２に追従して移動し、さらにアウター釦３の係止突起３ｂ、３ｃが、それぞれ前面パネル１の係止穴１ａ、１ｂに嵌り込んで、がたつきが防止される。そして、組立終了後には、車両のアクセサリスイッチを入れて、アウター釦３の操作面３ａを押すと、インナー釦４の胴部４ｂの先端部によりラバーコンタクトスイッチ８が押されて、可動接点８ａが基板７上の固定接点８ｂに接触して導通し、所定機能部を動作させるとともに、ＬＥＤ９が点灯して、光誘導性を有するインナー釦４を通してその頂部４ｂからの光により、アウター釦３の操作面３ａに形成された照明部３ｆの文字等を光らせる。
【００１７】
このように、本実施の形態によれば、アウター釦３とインナー釦４とを相対移動可能に取り付けるとともに、アウター釦３の係止突起３ｂ、３ｃを、それぞれ前面パネル１の係止穴１ａ、１ｂに位置決めしたので、前面パネル１の釦穴２とシャーシ５のガイド部５ａの軸心がずれていても、アウター釦３の操作面３ａを釦穴２からきちんと突出させることができるとともに、アウター釦３のがたつきを防止することができる。特に、前面パネル１として、高級感を持たすために木製のパネルを用いる場合、釦穴２の加工においてその位置精度は低くならざるを得ないので（金属パネルのように打ちぬき加工ができないため）、このような木製パネル等の釦穴加工における位置精度が低い場合に特に有効である。同様に、金属や樹脂パネルにおいても、釦穴の位置精度が出しにくい場合にも有効である。
【００１８】
なお、上記実施の形態では、アウター釦３に設けられた係止突起３ｂ、３ｃ（係止部）と、前面パネル１に設けられた係止穴１ａ、１ｂ（被係止部）とにより位置決め手段を構成しているが、別の方法として、アウター釦に係止穴を設け、前面パネル１に係止突起を設けてもよい。また、アウター釦３の両側に一対の係止突起３ｂ、３ｃが形成されているが、この係止突起は片方だけでもよい。また、アウター釦３の操作面３ａがシャーシ５に対して傾斜しているが、傾斜してないアウター釦にも適用可能である。また、アウター釦３の操作面３ａに照明部３ｆが形成されているが、照明部のないアウター釦にも適用可能である。さらに、インナー釦４をシャーシ５に取り付けるための係止部として、インナー釦４に係止穴４ｇ、４ｈを設け、シャーシ５に係止爪５ｂ、５ｃを設けているが、別の方法として、インナー釦４に係止爪を設け、シャーシ５に係止穴を設けてもよい。
【００１９】
【発明の効果】
以上説明したように、本発明の電子機器は、パネルに形成された釦穴から操作面が操作可能なアウター釦と、アウター釦の内側に相対移動可能に取り付けられたインナー釦と、インナー釦を摺動案内するガイド部を有するシャーシと、シャーシに固定された基板に設けられてインナー釦により動作するスイッチと、アウター釦をパネルに位置決めする位置決め手段とを備えているので、パネルの釦穴の位置精度が悪くても、アウター釦の操作面を釦穴からきちんと突出させることができるとともに、位置決め手段によりアウター釦のがたつきを防止することができる。
【図面の簡単な説明】
【図１】本発明の実施の形態における電子機器の押し釦部の構成を示す概略断面図
【図２】本発明の実施の形態における電子機器の押し釦部の構成を示す概略分解斜視図
【図３】従来例における電子機器の押し釦部の構成を示す概略断面図
【符号の説明】
１  前面パネル
１ａ、１ｂ  係止穴
２  釦穴
３  アウター釦
３ａ  操作面
３ｂ、３ｃ  係止突起
３ｄ、３ｅ  ストッパ突起
３ｆ  照明部
４  インナー釦
４ａ  胴部
４ｂ  頂部
４ｃ、４ｄ  腕部
４ｅ、４ｆ  係止爪
４ｇ、４ｈ  係止穴
５  シャーシ
５ａ  ガイド部
５ｂ、５ｃ  係止爪
６  取付ねじ
７  基板
８  ラバーコンタクトスイッチ
８ａ  可動接点
８ｂ  固定接点
【図１】
2004281291.tif 000003
【図２】
2004281291.tif 000004
【図３】
2004281291.tif 000005